(57)【要約】【課題】  ケースに対するバンドの着脱が簡単で容易にできるバンド取付構造およびそれを備えた腕時計を提供する。【解決手段】  溝部１６が形成されたケース１と、端部５ａが取付部材１０に接続されたバンド５と、ケース１に設けられ、溝部１６に装着された取付部材１０を係脱可能に係止するロック部材１７と、を備えている。従って、取付部材１０を溝部１６に装着させて、ロック部材１７によって取付部材１０をロックするだけで、簡単にバンド５をケース１に取り付けることができる。また、取付部材１０に対するロック部材１７によるロックを解除するだけで、簡単にバンド５をケース１から取り外すことができる。【選択図】        図３
2015100553.tif 000002
【特許請求の範囲】
【請求項１】
溝部が形成されたケースと、
端部が取付部材に接続されたバンドと、
前記ケースに設けられ、前記溝部に装着された前記取付部材を係脱可能に係止するロック部材と、
を備えていることを特徴とするバンド取付構造。
【請求項２】
請求項１に記載のバンド取付構造において、
前記溝部は前記ケースのバンド取付部に形成されており、
前記バンドの前記端部と前記取付部材とは連結部材によって接続されており、
前記取付部材は、
前記バンドの前記端部の両側に前記連結部材によって取り付けられる一対の取付片と、
前記一対の取付片を連結する連結部と、
前記連結部の両端部から前記連結部の延長方向に突出する一対の装着突起部と、
を備えていることを特徴とするバンド取付構造。
【請求項３】
請求項２に記載のバンド取付構造において、前記取付部材の前記連結部には、前記取付部材が前記バンド取付部の前記溝部に装着された際に、前記ケースの前記ロック部材が係脱可能に係合する切欠き部が設けられていることを特徴とするバンド取付構造。
【請求項４】
請求項３に記載のバンド取付構造において、前記ロック部材は、
前記ケースに取り付けられた弾性変形可能な保持部と、
前記保持部に設けられて前記取付部材の前記切欠き部内に前記保持部の弾性力によって出没可能に挿入する可動フック部と、
を備えていることを特徴とするバンド取付構造。
【請求項５】
請求項４に記載のバンド取付構造において、前記ロック部材は、前記溝部に対する前記取付部材の装着動作に応じて前記可動フック部を前記バンド取付部側から前記ケース側に向けて変位させる傾斜突起部を備えていることを特徴とするバンド取付構造。
【請求項６】
請求項１〜請求項５のいずれかに記載のバンド取付構造において、前記ケースの裏面に取り付けられる裏蓋を備え、前記ロック部材は、前記裏蓋と前記ケースとで挟持されていることを特徴とするバンド取付構造。
【請求項７】
請求項１〜請求項６のいずれかに記載されたバンド取付構造を備えていることを特徴とする腕時計。
【発明の詳細な説明】
【技術分野】
【０００１】
この発明は、腕時計などの腕装着型の電子機器、鞄、バッグなどに用いられるバンド取付構造およびそれを備えた腕時計に関する。
【背景技術】
【０００２】
例えば、腕時計などの腕装着型の電子機器に用いられたバンド取付構造においては、特許文献１に記載されているように、機器ケースの下面に配置される裏蓋の端部に設けられた凹部に、バンドの端部に設けられた突起部を挿入させ、この状態でバンドの端部に取り付けられた伸縮ピンであるばね棒などの連結部材の両端部を、機器ケースに設けられたバンド取付部の取付孔に挿入させることにより、バンドを機器ケースに裏蓋と共に取り付けるように構成されたものが知られている。
【先行技術文献】
【特許文献】
【０００３】
【特許文献１】特開２０１２−７８３５５号公報
【０００４】
この場合、バンドの端部をバンド取付部に取り付ける伸縮ピンであるばね棒などの連結部材は、バンドの端部に取り付けられるパイプ部と、このパイプ部の両端部にそれぞれ出没可能に設けた突起ピンと、パイプ部の内部に設けられたばね部材と、を備えている。これにより、ばね棒などの連結部材は、ばね部材のばね力によって各突起ピンがパイプ部の両端部から弾力的に押し出され、この押し出された各突起ピンがバンド取付部の各取付孔に挿入するように構成されている。
【発明の概要】
【発明が解決しようとする課題】
【０００５】
しかしながら、このようなバンド取付構造では、機器ケースからバンドを取り外す際に、特殊な工具をバンド取付部とバンドの端部との僅かな隙間に挿入させて、ばね棒などの連結部材の両端部の突起ピンをばね部材のばね力に抗してバンド取付部の取付孔から離脱させなければ、バンドを機器ケースから取り外すことができないため、バンドの取り外し作業が面倒であるという問題がある。
【０００６】
この発明が解決しようとする課題は、工具を用いずに、ケースに対するバンドの着脱が簡単で容易にできるバンド取付構造およびそれを備えた腕時計を提供することである。
【課題を解決するための手段】
【０００７】
この発明は、溝部が形成されたケースと、端部が取付部材に接続されたバンドと、前記ケースに設けられ、前記溝部に装着された前記取付部材を係脱可能に係止するロック部材と、を備えていることを特徴とするバンド取付構造である。
【発明の効果】
【０００８】
この発明によれば、バンドをケースに取り付ける際に、バンドの取付部材をケースの溝部に装着させて、ロック部材によって取付部材をロックするだけで、簡単にバンドをケースに取り付けることができる。また、バンドをケースから取り外す際に、バンドの取付部材に対するロック部材によるロックを解除するだけで、簡単にバンドをケースから取り外すことができる。このため、工具を用いずに、ケースに対するバンドの着脱が簡単で容易にできる。
【図面の簡単な説明】
【０００９】
【図１】この発明を腕時計に適用した一実施形態において、その裏面側を示した要部の拡大斜視図である。
【図２】図１に示された腕時計のバンド取付構造のＡ−Ａ矢視において、要部を断面で示した拡大斜視図である。
【図３】図１に示された腕時計のバンド取付構造を分解して示した要部の拡大斜視図である。
【図４】図３に示されたバンドを示した裏面側の拡大斜視図である。
【図５】図４に示されたバンドを示した表面側の拡大斜視図である。
【図６】図３に示された腕時計のケースを示した要部の拡大斜視図である。
【図７】図６に示されたケースから裏蓋を取り外した状態を示した要部の拡大斜視図である。
【発明を実施するための形態】
【００１０】
以下、図１〜図７を参照して、この発明を腕時計に適用した一実施形態について説明する。
この腕時計は、図１〜図３に示すように、ケース１とバンド５とを備えている。この場合、図１〜図３は、ケース１およびバンド５を上下反転させた状態の裏面側を示した各図である。このケース１は、その内部に時計モジュール（図示せず）が組み込まれるように構成されている。
【００１１】
図１に示された腕時計のバンド取付構造のＡ−Ａ矢視において、要部を断面で示した拡大斜視図を図２に示す。このケース１の表面側（図２では下面側）に位置する下部開口部には、図２に示すように、ガラス２が取り付けられている。このケース１の裏面側（図２では上面側）に位置する上部には、裏蓋３が防水リング３ａを介してビス４によって取り付けられている。また、このケース１の１２時側と６時側とには、図１〜図３に示すように、バンド５を取り付けるためのバンド取付部６がそれぞれ側方に突出して設けられている。
【００１２】
このバンド取付部６は、図１〜図３に示すように、ケース１の外側面から側方に突出する一対の取付突起部７と、これら一対の取付突起部７間における表面側（図３では下面側）に位置する下部に設けられたカバー部８と、を備えている。このバンド取付部６は、バンド５の端部５ａがカバー部８の内面側（図２では上面側）に対応した状態で、一対の取付突起部７間に配置されるように構成されている。
【００１３】
バンド５は、図１〜図３に示すように、ウレタン樹脂などの軟質の合成樹脂を含んで形成されている。このバンド５は、ケース１のバンド取付部６に配置される端部５ａに取付部材１０がばね棒などの連結部材１１によって取り付けられるように構成されている。
【００１４】
この場合、バンド５は、図１に示すように、その長手方向と直交する方向の長さ（幅）が一対の取付突起部７の外端面間とほぼ同じ長さで形成されている。このバンド５の端部５ａは、図１および図２に示すように、バンド５の長手方向と直交する方向の長さ（幅）が一対の取付突起部７の外端面間の長さよりも短い突起部であり、バンド取付部６の一対の取付突起部７間に配置されるように形成されている。
【００１５】
すなわち、このバンド５の端部５ａは、図１および図２に示すように、バンド５の長手方向と直交する方向の長さ（幅）が一対の取付突起部７間の長さとほぼ同じ長さで形成されている。このバンド５の端部５ａには、連結部材１１が挿入する挿入孔１５がバンド５の長手方向に対して直交する方向に貫通して設けられている。
【００１６】
連結部材１１は、図１〜図５に示すように、バンド５の挿入孔１５に挿入するパイプ部１１ａと、このパイプ部１１ａの両端部から出没可能に突出する一対の突起ピン１１ｂと、パイプ部１１ａ内に設けられたコイルばねなどのばね部材（図示せず）と、を備えている。これにより、連結部材１１は、一対の突起ピン１１ｂがばね部材のばね力によってパイプ部１１ａの両端部から押し出されるように構成されている。
【００１７】
取付部材１０は、図４および図５に示すように、バンド５の端部５ａの両側に配置される一対の取付片１２と、これら一対の取付片１２を連結する連結部１３と、この連結部１３の両端部から連結部１３の延長線上に沿って突出する一対の装着突起部１４と、を備えている。
【００１８】
この取付部材１０は、一対の取付片１２、連結部１３、および一対の装着突起部１４が金属によって一体に形成されていることが望ましいが、強度の高い合成樹脂で一体に形成されていても良い。このように、取付部材１０は硬い材料で形成されているので、取付部材１０がケース１の溝部１６装着されてロック部材１７に係止された際に、衝撃などが加わったとしても、バンド５が合成樹脂製の場合と比較して外れ難くなっている。
【００１９】
取付部材１０の一対の取付片１２には、図１〜図５に示すように、バンド５の挿入孔１５に挿入された連結部材１１のパイプ部１１ａの両端部からばね部材のばね力によって押し出された一対の突起ピン１１ｂがそれぞれ挿入する各取付孔１２ａが、同一軸上に対応して設けられている。この場合、一対の取付片１２の各取付孔１２ａは、その内径がバンド５の挿入孔１５の内径よりも小さく形成されている。
【００２０】
これにより、取付部材１０は、図１〜図５に示すように、バンド５の挿入孔１５に連結部材１１が挿入された状態で、バンド５の端部５ａが一対の取付片１２間に配置された際に、連結部材１１のパイプ部１１ａの両端部からそれぞれ突出した一対の突起ピン１１ｂが、一対の取付片１２の各取付孔１２ａにばね部材のばね力によって挿入することにより、バンド５の端部５ａに回転可能に取り付けられるように構成されている。
【００２１】
また、取付部材１０の連結部１３は、図１〜図５に示すように、一対の取付片１２が両端部に設けられて一対の取付片１２を連結する平板状に形成されている。この連結部１３の中間部、つまり一対の取付片１２間の中間部に位置する連結部１３の個所には、切欠き部１３ａが設けられている。この切欠き部１３ａは、連結部１３の裏面側に位置する上辺部（図５では下辺部）に開放された四角形状に形成されている。
【００２２】
さらに、取付部材１０の一対の装着突起部１４は、図１〜図５に示すように、連結部１３の両端部から一対の取付片１２よりもバンド５の長手方向と直交する方向、つまり連結部１３の延長線上に沿って突出した状態で、連結部１３の両端部に設けられている。これら一対の装着突起部１４は、バンド取付部６の一対の取付突起部７にそれぞれ設けられた後述する溝部１６の第３溝部１６ｃに食い込んだ状態で装着するように形成されている。
【００２３】
ところで、ケース１のバンド取付部６には、図１〜図３に示すように、バンド５の取付部材１０が着脱可能に装着する溝部１６が設けられている。また、ケース１には、取付部材１０を係脱可能にロックして溝部１６に対する取付部材１０の離脱を阻止するロック部材１７が、バンド取付部６に対応して設けられている。
【００２４】
バンド取付部６の溝部１６は、図３、図６および図７に示すように、取付部材１０の連結部１３の表面側に位置する下辺部が装着する第１溝部１６ａと、一対の取付片１２の表面側に位置する各下辺部がそれぞれ装着する第２溝部１６ｂと、一対の装着突起部１４がそれぞれ装着する第３溝部１６ｃと、を有している。
【００２５】
この場合、第１溝部１６ａは、図６および図７に示すように、一対の取付突起部７間で、かつこれに対応するケース１の側面とカバー部８の内面との境界に位置し、この状態でカバー部８の内面（図７では上面）に食い込んで設けられている。これにより、第１溝部１６ａは、図２に示すように、取付部材１０の連結部１３の先端側に位置する外面がケース１の外面に対面した状態で、連結部１３の下辺部が裏面側（図３では上方）から装着するように構成されている。
【００２６】
また、第２溝部１６ｂは、図６および図７に示すように、一対の取付突起部７の各対向面とカバー部８の内面との各境界に位置し、この状態でカバー部８の内面（図７では上面）に食い込んで設けられている。これにより、第２溝部１６ｂは、図１に示すように、取付部材１０の一対の取付片１２の各外面が一対の取付突起部７の各対向面に対面した状態で、一対の取付片１２の各下辺部がそれぞれ裏面側（図３では上方）から装着するように構成されている。
【００２７】
さらに、第３溝部１６ｃは、図６および図７に示すように、第１溝部１６ａの両端部から一対の取付突起部７の各対向面に食い込んで設けられている。これにより、第３溝部１６ｃは、図１および図２に示すように、連結部１３の両端部から突出した一対の装着突起部１４がそれぞれ裏面側（図３では上方）から差し込まれて装着することにより、一対の装着突起部１４を挟み付けるように構成されている。
【００２８】
このように、この溝部１６は、図１〜図７に示すように、第１溝部１６ａに取付部材１０の連結部１３が装着し、第２溝部１６ｂに取付部材１０の一対の取付片１２が装着し、第３溝部１６ｃに取付部材１０の一対の装着突起部１４が装着することにより、取付部材１０がバンド取付部６に取り付けられると共に、この取付部材１０によってバンド５の端部５ａがバンド取付部６に取り付けられるように構成されている。
【００２９】
一方、ケース１のロック部材１７は、図７に示すように、バンド取付部６に対応するケース１の個所に取り付けられた撓み変形可能な保持部１８と、この保持部１８に設けられてバンド取付部６の一対の取付突起部７間に出没可能に突出する可動フック部１９と、を備えている。このロック部材１７は、保持部１８および可動フック部１９が合成樹脂によって一体に形成されていることが望ましいが、撓み変形可能な金属によって形成されていても良い。
【００３０】
この場合、バンド取付部６に対応するケース１の個所には、図７に示すように、保持部１８を収容する取付凹部２０が、バンド取付部６の一対の取付突起部７間に対応して設けられている。この取付凹部２０は、裏面側（図７では上側）に開放された状態で、バンド取付部６の一対の取付突起部７間にその長さ方向に沿って細長い形状に形成されている。
【００３１】
ロック部材１７の保持部１８は、図７に示すように、撓み変形可能な帯板状の支持部１８ａと、この支持部１８ａの両端部に設けられた一対の固定部１８ｂと、を有し、これらがケース１の取付凹部２０内に装着されるように構成されている。すなわち、この保持部１８は、一対の固定部１８ｂが取付凹部２０内における両端部に配置されて固定され、これら一対の固定部１８ｂに支持部１８ａの両端部が保持された状態で、支持部１８ａが取付凹部２０内にその長手方向に沿って配置されている。
【００３２】
この場合、支持部１８ａは、図７に示すように、バンド取付部６側に位置する取付凹部２０内の内面に接触した状態で、取付凹部２０内に配置されている。これにより、この保持部１８は、支持部１８ａの中間部がバンド取付部６側からケース１の内部側に向けて押圧された際に、支持部１８ａが取付凹部２０内においてケース１の内部側に向けて撓み変形するように構成されている。
【００３３】
可動フック部１９は、図７に示すように、支持部１８ａの中間部に設けられて、ケース１の取付凹部２０とバンド取付部６との間に設けられた切欠き凹部２０ａからバンド取付部６内に向けて出没可能に突出するように構成されている。この可動フック部１９は、支持部１８ａの中間部に設けられたロック部２１と、このロック部２１の裏面側に位置する上部に設けられた傾斜突起部２２と、を備えている。
【００３４】
ロック部２１は、図７に示すように、ケース１の切欠き凹部２０ａ内にスライド可能に配置されて、保持部１８の支持部１８ａの撓み変形に応じてバンド取付部６に向けて出没可能に突出するように構成されている。すなわち、このロック部２１は、図１および図２に示すように、バンド取付部６内に突出した際に、バンド取付部６の溝部１６に装着されたバンド５の取付部材６における連結部１３の切欠き部１３ａ内に挿入するように構成されている。
【００３５】
これにより、ロック部２１は、図２に示すように、その下面が切欠き部１３ａ内の下面に当接して、取付部材６をバンド取付部６の溝部１６内にロックすることにより、取付部材６がバンド取付部６の溝部１６から抜け出さないように構成されている。このロック部２１の裏面側に位置する上部に設けられた傾斜突起部２２は、切欠き凹部２０ａ内から上方に突出するように形成されている。
【００３６】
この傾斜突起部２２のバンド取付部６側には、図２および図６に示すように、その上端部から下側に向けて傾斜する傾斜面２２ａが形成されている。また、この傾斜面２２ａには、ロック部２１をケース１側に押し込んで保持部１８の支持部１８ａを撓み変形させることにより、取付部材６の連結部１３の切欠き部１３ａから離脱させるための操作凹部２２ｂが設けられている。
【００３７】
これにより、ロック部２１は、図１〜図３に示すように、バンド取付部６の溝部１６にバンド５の取付部材１０を装着する際に、取付部材１０の連結部１３が傾斜突起部２２の傾斜面２２ａに沿って溝部１６内に向けて下側に移動しながら、傾斜突起部２２をケース１の内部側に向けて押すことにより、支持部１８ａを撓み変形させて、傾斜突起部２２と共にケース１の切欠き凹部２０ａ内に押し込まれるように構成されている。
【００３８】
また、このロック部２１は、図１〜図３に示すように、ケース１の切欠き凹部２０ａ内に押し込まれて、バンド取付部６の溝部１６にバンド５の取付部材１０が装着した際に、保持部１８の支持部１８ａの弾性復帰力によって押し出されて、取付部材１０の連結部１３の切欠き部１３ａに挿入することにより、取付部材６をバンド取付部６の溝部１６内にロックするように構成されている。
【００３９】
さらに、このロック部２１は、図１〜図３に示すように、取付部材１０の連結部１３の切欠き部１３ａに挿入して、取付部材１０をバンド取付部６の溝部１６内にロックした状態で、傾斜突起部２２の操作凹部２２ｂに指先または爪を引っ掛けて、傾斜突起部２２をケース１の内部側に向けて押し、支持部１８ａを撓み変形させた際に、連結部１３の切欠き部１３ａ内から離脱して、取付部材６に対するロックを解除するように構成されている。
【００４０】
ところで、ロック部材１７の保持部１８は、図２および図６に示すように、ケース１の裏面（図１では上面）に取り付けられた裏蓋３によって、ケース１の取付凹部２０内に押え付けられている。この場合、裏蓋３の縁部には、切欠き部２４がケース１の取付凹部２０とバンド取付部６との間の切欠き凹部２０ａに対応して設けられている。
【００４１】
これにより、ロック部材１７の可動フック部１９は、図１〜図３、図６に示すように、そのロック部２１がケース１の取付凹部２０とバンド取付部６との間に設けられた切欠き凹部２０ａ内にスライド可能に配置されると共に、傾斜突起部２２が裏蓋３の切欠き部２４内にスライド可能に配置されるように構成されている。
【００４２】
次に、このような腕時計において、ケース１にバンド５を取り付ける場合について説明する。
この場合には、予め、図７に示すように、ケース１の取付凹部２０内にロック部材１７の保持部１８を配置すると共に、この取付凹部２０とバンド取付部６との間の切欠き凹部２０ａに可動フック部１９を配置する。この状態で、ケース１の裏面（図７では上面）に裏蓋３をビス４によって取り付ける。
【００４３】
一方、バンド５の端部５ａには取付部材１０を取り付ける。このときには、バンド５の端部５ａに設けられた挿入孔１５に連結部材１１のパイプ部１１ａを挿入し、この挿入されたパイプ部１１ａの両端部から突出した一対の突起ピン１１ｂをばね部材（図示せず）のばね力に抗してパイプ部１１ａ内に挿入する。
【００４４】
この状態で、バンド５の端部５ａを取付部材１０の一対の取付片１２間に配置し、これら一対の取付片１２の各取付孔１２ａをバンド５の端部５ａの挿入孔１５に対応させる。すると、連結部材１１のパイプ部１１ａの両端部から一対の突起ピン１１ｂがばね部材のばね力によって押し出されて、一対の取付片１２の各取付孔１２ａに連結部材１１の各突起ピン１１ｂが弾力的に挿入する。これにより、バンド５の端部５ａに取付部材１０が取り付けられる。
【００４５】
そして、このバンド５の端部５ａに取り付けられた取付部材１０をケース１のバンド取付部６に取り付ける。このときには、バンド取付部６の溝部１６にバンド５の取付部材１０を裏面側（図３では上方）から装着させて、バンド５の端部５ａをバンド取付部６の一対の取付突起部７間に配置する。
【００４６】
すなわち、バンド５の取付部材１０をバンド取付部６の溝部１６に装着する際には、取付部材１０の連結部１３を第１溝部１６ａに装着し、取付部材１０の一対の取付片１２を第２溝部１６ｂに装着し、取付部材１０の一対の装着突起部１４を第３溝部１６ｃに挟み込んだ状態で装着する。これにより、取付部材１０がバンド取付部６に取り付けられると共に、この取付部材１０によってバンド５の端部５ａがバンド取付部６に取り付けられる。
【００４７】
また、このようにバンド５の取付部材１０がバンド取付部６の溝部１６に装着する際には、ロック部材１７の可動フック部１９が保持部１８の支持部１８ａによってケース１の切欠き凹部２０ａからバンド取付部６内に突出している。このため、バンド５の取付部材１０をバンド取付部６の溝部１６に装着する際には、取付部材１０の連結部１３が可動フック部１９をケース１の切欠き凹部２０ａ内に押し込む。
【００４８】
すなわち、バンド取付部６の溝部１６にバンド５の取付部材１０を装着する際には、取付部材１０の連結部１３が可動フック部１９の傾斜突起部２２の傾斜面２２ａに沿って溝部１６内に向けて下側に移動することにより、傾斜突起部２２がケース１の内部側に向けて変位する。これに伴って、ロック部２１が保持部１８の支持部１８ａ側に向けて移動するので、支持部１８ａが撓み変形する。これにより、可動フック部１９がケース１の切欠き凹部２０ａ内に押し込まれる。
【００４９】
そして、バンド取付部６の溝部１６にバンド５の取付部材１０が装着すると、取付部材１０の連結部１３の切欠き部１３ａがロック部材１７の可動フック部１９に対応する。すると、保持部１８の支持部１８ａが弾性復帰して、ロック部２１をケース１側からバンド取付部６側に向けて押し出す。これにより、ロック部２１が取付部材１０の連結部１３の切欠き部１３ａに挿入するので、取付部材６がバンド取付部６の溝部１６内にロックされる。
【００５０】
このように、バンド５の端部５ａに取り付けられた取付部材１０をケース１のバンド取付部６に取り付ける際には、バンド取付部６の溝部１６にバンド５の取付部材１０を裏面側（図３では上方）から装着させるだけで、バンド５をバンド取付部６に簡単で容易に取り付けることができる。このときには、ロック部材１７の可動フック部１９を自動的に出没させ、この可動フック部１９によってバンド５の取付部材１０を簡単にかつ確実にロックすることができる。
【００５１】
また、バンド５をケース１のバンド取付部６から取り外す場合には、ロック部材１７の可動フック部１９をケース１の内部側に向けて押圧して、可動フック部１９のロック部２１による取付部材１０のロックを解除する。この状態で、取付部材１０をバンド取付部６の溝部１６から取り出せば良い。
【００５２】
すなわち、このときには、ロック部２１に設けられた傾斜突起部２２の操作凹部２２ｂに指先または爪を引っ掛けて、傾斜突起部２２をケース１の内部側に向けて押す。すると、可動フック部１９のロック部２１が保持部１８の支持部１８ａを押圧して、支持部１８ａを撓み変形させる。これにより、ロック部２１が傾斜突起部２２と共にケース１側に移動するので、ロック部２１が取付部材１０の連結部１３の切欠き部１３ａ内から離脱する。
【００５３】
これにより、可動フック部１９のロック部２１による取付部材１０のロックが解除されるので、取付部材１０をバンド取付部６の溝部１６から取り出すことができる。このため、工具などを用いずに、指先または爪を傾斜突起部２２の操作凹部２２ｂに引っ掛けて、傾斜突起部２２をケース１側に向けて押すだけで、簡単にロックを解除することができる。これにより、取付部材１０をバンド取付部６の溝部１６から取り出すことができるので、バンド５をケース１のバンド取付部６から容易に取り外すことができる。
【００５４】
このように、この腕時計のバンド取付構造によれば、バンド取付部６が設けられたケース１と、このケース１のバンド取付部６に端部５ａが配置されるバンド５と、このバンド５の端部５ａに連結部材１１によって取り付けられた取付部材１０と、バンド取付部６に設けられてバンド５の取付部材１０が着脱可能に装着する溝部１６と、ケース１に設けられて取付部材１０を係脱可能に係止するロック部材１７と、を備えていることにより、ケース１に対するバンド５の着脱が簡単で容易にできる。
【００５５】
すなわち、この腕時計のバンド取付構造では、バンド５をケース１に取り付ける際に、バンド５の取付部材１０をケース１の溝部１６に装着させて、ケース１のロック部材１７によってロックするだけで、簡単にバンド５をケース１に取り付けることができる。
【００５６】
また、この腕時計のバンド取付構造では、バンド５をケース１から取り外す際に、バンド５の取付部材１０に対するロック部材１７によるロックを解除するだけで、簡単にバンド５をケース１から取り外すことができる。これにより、工具を用いることなく、ケース１に対するバンド５の着脱が簡単で容易にできるので、バンド５を簡単に交換することができる。
【００５７】
この場合、バンド５の取付部材１０は、バンド５の端部５ａの両側に連結部材１１によって取り付けられる一対の取付片１２と、これら一対の取付片１２を連結する連結部１３と、この連結部１３の両端部から連結部１３の延長方向に突出する一対の装着突起部１４と、を備えていることにより、バンド５の端部５ａにバンド取付部６を容易に取り付けることができる。
【００５８】
すなわち、このバンド取付構造では、バンド５の端部５ａに設けられた挿入孔１５に連結部材１１のパイプ部１１ａを挿入させて、パイプ部１１ａの両端部から突出した一対の突起ピン１１ｂを取付部材１０の一対の取付片１２の各取付孔１２ａにばね部材（図示せず）のばね力によって挿入させることにより、バンド５の端部５ａの両側に取付部材１０の一対の取付片１２を連結部材１１によって簡単に取り付けることができる。
【００５９】
また、このバンド取付構造では、バンド５の端部５ａに取り付けられた取付部材１０をバンド取付部６の溝部１６に装着する際に、バンド５の端部５ａの両側に取付部材１０の一対の取付片１２が取り付けられた状態で、一対の取付片１２、連結部１３、および一対の装着突起部１４をバンド取付部６の溝部１６に装着するだけの簡単な作業で、バンド５の端部５ａをバンド取付部６に取付部材１０によって容易にかつ確実に取り付けることができる。
【００６０】
この場合、バンド取付部６の溝部１６は、取付部材１０の連結部１３の下辺部が装着する第１溝部１６ａと、一対の取付片１２の各下辺部がそれぞれ装着する第２溝部１６ｂと、一対の装着突起部１４がそれぞれ挟み付けられて装着する第３溝部１６ｃとを有していることにより、取付部材１０をバンド取付部６に確実に装着することができる。
【００６１】
すなわち、このバンド取付部６の溝部１６では、第１溝部１６ａに連結部１３を装着でき、第２溝部１６ｂに一対の取付片１２を装着でき、第３溝部１６ｃに一対の装着突起部１４を挟み付けて装着できるので、取付部材１０をバンド取付部６に確実に装着することができる。これにより、バンド取付部６の溝部１６に装着した取付部材１０によって、バンド５の端部５ａをバンド取付部６に容易に取り付けることができる。
【００６２】
また、取付部材１０の連結部１３には、取付部材１０がバンド取付部６の溝部１６に装着された際に、ケース１に設けられたロック部材１７が係脱可能に係合する切欠き部１３ａが設けられていることにより、取付部材１０をバンド取付部６に確実に係止させてロックすることができる。これにより、取付部材１０をバンド取付部６の溝部１６に確実に取り付けることができ、この取付部材１０によってバンド５の端部５ａをバンド取付部６に簡単にかつ確実に取り付けることができる。
【００６３】
また、このバンド取付構造では、ケース１のロック部材１７が、ケース１に取り付けられた撓み変形可能な保持部１８と、この保持部１８に設けられて取付部材１０の切欠き部１３ａ内に出没可能に挿入する可動フック部１９と、を備えていることにより、バンド５の取付部材１０をバンド取付部６の溝部１６に装着する際に、保持部１８の撓み変形に応じて可動フック部１９を取付部材１０の切欠き部１３ａの内外に良好に変位させることができる。
【００６４】
すなわち、このケース１のロック部材１７では、バンド５の取付部材１０がバンド取付部６の溝部１６に装着される際に、保持部１８が撓み変形して可動フック部１９をケース１の内部側に向けて引き込むことができるので、バンド取付部６の溝部１６内から離脱させることができる。
【００６５】
また、このケース１のロック部材１７では、バンド５の取付部材１０がバンド取付部６の溝部１６に装着された際に、保持部１８が弾性復帰することにより、可動フック部１９を押し出して取付部材１０の切欠き部１３ａ内に確実に挿入させることができ、これにより取付部材１０を確実にかつ良好にロックすることができる。
【００６６】
この場合、ロック部材１７は、取付部材１０を溝部１６に装着する際に、取付部材１０の装着動作に応じて可動フック部１９をバンド取付部６側からケース１側に向けて変位させる傾斜突起部２２を備えているので、取付部材１０を溝部１６に装着する際に、取付部材１０が傾斜突起部２２の傾斜面２２ａに沿って溝部１６内に向けて移動しながら、傾斜突起部２２をケース１側に向けて押すことができ、これにより自動的に可動フック部１９をバンド取付部６から離脱させるができる。
【００６７】
また、このロック部材１７は、バンド５の取付部材１０が傾斜突起部２２を通過した際に、保持部１８の弾性復帰力によって可動フック部１９を押し出して取付部材１０切欠き部１３ａ内に押し込むことができるので、自動的に可動フック部１９を取付部材１０の切欠き部１３ａ内に挿入させることができ、これにより取付部材１を容易にかつ確実にロックすることができる。
【００６８】
この場合、可動フック部１９の傾斜突起部２２には、可動フック部１９をケース１側に向けて押すための操作凹部２２ｂが設けられているので、バンド５をバンド取付部６から取り外す際に、操作凹部２２ｂに指先または爪を引っ掛けて、傾斜突起部２２をケース１側に向けて確実に押すことができ、これにより可動フック部１９を容易にケース１側に移動させて取付部材１０の切欠き部１３ａ内から確実に離脱させることができる。
【００６９】
このため、工具などを用いずに、指先または爪を傾斜突起部２２の操作凹部２２ｂに引っ掛けて、傾斜突起部２２をケース１側に向けて押すだけの簡単な操作で、可動フック部１９のロック部２１による取付部材１０のロックを容易に解除することができ、これにより取付部材１０をバンド取付部６の溝部１６から簡単に取り外すことができる。
【００７０】
さらに、このバンド取付構造では、ケース１の裏面に取り付けられた裏蓋３によって、ロック部材１７をケース１に押えているので、別部品としての押え部材が不要になり、部品点数の削減を図ることができる。この場合、ロック部材１７の保持部１８をケース１の取付凹部２０内に配置した状態で、ロック部材１７が裏蓋３とケース１とで挟持されているので、ロック部材１７をケース１に確実にかつコンパクトに取り付けることができる。
【００７１】
なお、上述した実施形態では、バンド５の端部５ａに取付部材１０をばね棒である連結部材１１によって取り付けた場合について述べたが、これに限らず、ピン部材やねじ部材などの連結部材によってバンド５の端部５ａに取付部材１０を取り付けるようにしても良い。
【００７２】
また、上述した実施形態では、ロック部材１７が保持部１８と可動フック部１９を有し、これらを合成樹脂または金属で形成した場合について述べたが、これに限らず、例えばゴムなどの弾性材料で形成した構成であっても良い。この場合には、ロック部材を可能フック部のみで形成することができるので、構造の簡素化を図ることができる。
【００７３】
また、上述した実施形態では、バンド５がウレタン樹脂などの合成樹脂で形成されている場合について述べたが、これに限らず、例えば金属駒を順次連結した金属製のバンドにも適用することができる。
【００７４】
さらに、上述した実施形態では、腕時計に適用した場合について述べたが、必ずしも腕時計である必要はなく、例えば腕に装着して使用する腕装着型の電子機器、あるいは鞄、またはバッグなどのバンド取付構造にも適用することができる。
【００７５】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７６】
（付記）
請求項１に記載の発明は、溝部が形成されたケースと、端部が取付部材に接続されたバンドと、前記ケースに設けられ、前記溝部に装着された前記取付部材を係脱可能に係止するロック部材と、を備えていることを特徴とするバンド取付構造である。
【００７７】
請求項２に記載の発明は、請求項１に記載のバンド取付構造において、前記溝部は前記ケースのバンド取付部に形成されており、前記バンドの前記端部と前記取付部材とは連結部材によって接続されており、前記取付部材は、前記バンドの前記端部の両側に前記連結部材によって取り付けられる一対の取付片と、前記一対の取付片を連結する連結部と、前記連結部の両端部から前記連結部の延長方向に突出する一対の装着突起部と、を備えていることを特徴とするバンド取付構造である。
【００７８】
請求項３に記載の発明は、請求項２に記載のバンド取付構造において、前記取付部材の前記連結部には、前記取付部材が前記バンド取付部の前記溝部に装着された際に、前記ケースの前記ロック部材が係脱可能に係合する切欠き部が設けられていることを特徴とするバンド取付構造である。
【００７９】
請求項４に記載の発明は、請求項３に記載のバンド取付構造において、前記ロック部材は、前記ケースに取り付けられた弾性変形可能な保持部と、前記保持部に設けられて前記取付部材の前記切欠き部内に前記保持部の弾性力によって出没可能に挿入する可動フック部と、を備えていることを特徴とするバンド取付構造である。
【００８０】
請求項５に記載の発明は、請求項４に記載のバンド取付構造において、前記ロック部材は、前記溝部に対する前記取付部材の装着動作に応じて前記可動フック部を前記バンド取付部側から前記ケース側に向けて変位させる傾斜突起部を備えていることを特徴とするバンド取付構造である。
【００８１】
請求項６に記載の発明は、請求項１〜請求項５のいずれかに記載のバンド取付構造において、前記ケースの裏面に取り付けられる裏蓋を備え、前記ロック部材は、前記裏蓋と前記ケースとで挟持されていることを特徴とするバンド取付構造である。
【００８２】
請求項７に記載の発明は、請求項１〜請求項６のいずれかに記載されたバンド取付構造を備えていることを特徴とする腕時計である。
【符号の説明】
【００８３】
１  ケース
３  裏蓋
５  バンド
６  バンド取付部
７  一対の取付突起部
１０  取付部材
１１  連結部材
１２  一対の取付片
１３  連結部
１３ａ  切欠き部
１４  一対の装着突起部
１６  溝部
１６ａ  第１溝部
１６ｂ  第２溝部
１６ｃ  第３溝部
１７  ロック部材
１８  保持部
１９  可動フック部
２１  ロック部
２２  傾斜突起部
２３ａ  傾斜面
２３ｂ  操作凹部
【図１】
2015100553.tif 000003
【図２】
2015100553.tif 000004
【図３】
2015100553.tif 000005
【図４】
2015100553.tif 000006
【図５】
2015100553.tif 000007
【図６】
2015100553.tif 000008
【図７】
2015100553.tif 000009